(57)【特許請求の範囲】
【請求項１】
スピニングリールのリール本体に回転自在に装着されるピニオンギアにナットにより固定され、糸巻き用のスプールに釣り糸を巻き付けるためのスピニングリールのロータであって、
前記リール本体に回転自在に装着される円筒部と、前記円筒部の後端部から前方に延びる第１及び第２アーム部とを有するロータ本体と、
前記両アーム部の先端に揺動自在に装着され前記スプールに釣り糸を案内するベールアームと、
前記ナットの外周側において前記ナットと離反して配置され、前記ロータ本体の前壁より前方で前記ロータ本体に着脱自在に固定される慣性付与部材と、
を備えたスピニングリールのロータ。
【請求項２】
前記慣性付与部材は、前記ロータ本体にねじにより固定されるリング状の部材である、請求項１に記載のスピニングリールのロータ。
【請求項３】
前記慣性付与部材は、前記ロータ本体の円筒部に着脱自在に装着される、請求項１又は２に記載のスピニングリールのロータ。
【請求項４】
前記円筒部は、前記リール本体に回転自在に装着される前壁を有し、
前記慣性付与部材は前記前壁に前記円筒部と同芯に配置される、請求項３に記載のスピニングリールのロータ。
【請求項５】
前記スプールは前記円筒部の外周側に隙間をあけて配置される筒状のスカート部を有し、
前記慣性付与部材は、前記円筒部とスカート部との隙間からの釣り糸の進入を防止する、請求項１から４のいずれかに記載のスピニングリールのロータ。
【請求項６】
前記慣性付与部材は、前記ロータ本体より比重が大きい材料で形成されている、請求項１から５のいずれかに記載のスピニングリールのロータ。
【発明の詳細な説明】
【０００１】
【発明の属する技術分野】
本発明は、ロータ、特に、スピニングリールのリール本体に回転自在に装着され、糸巻き用のスプールに釣り糸を巻き付けるためのスピニングリールのロータに関する。
【０００２】
【従来の技術】
一般に、スピニングリールは、釣り竿に装着されるリール本体と、リール本体の前部に前後移動自在に装着された糸巻用のスプールと、リール本体に回転自在に装着され釣り糸をスプールに巻き付けるためのロータとを備えている。ロータは、スプールの内周側に配置される円筒部と、円筒部の後端部から前方に延びる第１及び第２アーム部と、両アーム部の先端に揺動自在に装着され釣り糸をスプールに巻き付けるベールアームとを有している。
【０００３】
この種のスピニングリールのロータは、最近、アルミニウム合金やマグネシウム合金などの軽金属で製作され軽量化が図られている。
【０００４】
【発明が解決しようとする課題】
前記従来の軽量化が図られたロータでは、慣性モーメントが小さくなるため、回転開始時（起動時）にロータが軽く回り始める。しかし、ロータに作用する負荷が小さい場合、ハンドルを回す手の力加減によって容易に回転速度が変化し、滑らかさに欠けて回転フィーリングが低下するという問題がある。これを防止するために、慣性力を単純に増加させるだけでは、ロータの起動に要するエネルギーが増加し、起動時の効率が損なわれる。
【０００５】
本発明の課題は、軽量化を図ったロータであっても、回転フィーリングを重視する場合と、起動時の効率を重視する場合とで使い分けることができるようにすることにある。
【０００６】
【課題を解決するための手段】
発明１に係るスピニングリールのロータは、スピニングリールのリール本体に回転自在に装着されるピニオンギアにナットにより固定され、糸巻き用のスプールに釣り糸を巻き付けるためのものであって、ロータ本体と、ベールアームと、慣性付与部材とを備えている。ロータ本体は、リール本体に回転自在に装着される円筒部と、円筒部の後端部から前方に延びる第１及び第２アーム部とを有している。ベールアームは、両アーム部の先端に揺動自在に装着されスプールに釣り糸を案内するものである。慣性付与部材は、ナットの外周側においてナットと離反して配置され、ロータ本体の前壁より前方でロータ本体に着脱自在に固定される部材である。
【０００７】
このロータでは、ロータ本体に慣性付与部材が着脱自在に装着される。ここで、回転フィーリングを重視する場合には、慣性付与部材をロータ本体に装着する。すると、ロータの慣性モーメントが増加するので、回転フィーリングが損なわれにくくなる。また、起動時の効率を重視する場合には、慣性付与部材をロータ本体から外す。これにより、ロータの起動時にロータが軽く回り始め、起動時の効率を高く維持できる。ここでは、慣性付与部材をロータ本体に対して着脱自在にしたので、回転フィーリングを重視する場合には、慣性付与部材を装着し、起動時の効率を重視する場合には外せばよい。このため、ロータの軽量化を図っても、前記２つの場合で使い分けすることができる。
【０００８】
発明２に係るスピニングリールのロータは、発明１に記載のロータにおいて、慣性付与部材は、ロータ本体にねじにより固定されるリング状の部材である。この場合には、慣性付与部材がリング状であるので、ロータの回転軸芯と同芯に配置することにより回転バランスが損なわれにくくなる。
【０００９】
発明３に係るスピニングリールのロータは、発明１又は２に記載のロータにおいて、慣性付与部材は、ロータ本体の円筒部に着脱自在に装着される。この場合には、スプールの内側に配置されるロータの円筒部に慣性付与部材が配置されるので、慣性付与部材を装着しても邪魔にならない。
【００１０】
発明４にかかるスピニングリールのロータは、発明３に記載のロータにおいて、円筒部は、リール本体に回転自在に装着される前壁を有し、慣性付与部材は前壁に円筒部と同芯に配置されている。この場合には、慣性付与部材が円筒部と同芯に配置されているので、慣性付与部材を装着しても回転バランスが損なわれにくくなる。
【００１１】
発明５に係るスピニングリールのロータは、発明１から４のいずれかに記載のロータにおいて、スプールは円筒部の外周側に隙間をあけて配置される筒状のスカート部を有し、慣性付与部材は、円筒部とスカート部との隙間からの釣り糸の進入を防止する。この場合には、慣性付与部材によってスプールとロータとの隙間を小さくすることにより、円筒部とスカート部との隙間からの釣り糸の進入を防止でき、釣り糸がスプール軸に絡みにくくなる。
【００１２】
発明６に係るスピニングリールのロータは、発明１から５のいずれかに記載のロータにおいて、慣性付与部材は、ロータ本体より比重が大きい材料で形成されている。この場合には、小さな容積で慣性モーメントを大きく増加させることができる。
【００１３】
【発明の実施の形態】
〔全体構成〕
図１において、本発明の一実施形態を採用したスピニングリールは、釣り竿に装着可能なリール本体２と、リール本体２に左右軸回りに回転自在に装着されたハンドル組立体１と、ロータ３と、スプール４とを備えている。ロータ３は、ハンドル組立体１の回転に連動して回転して釣り糸をスプール４に案内するものであり、リール本体２の前部に前後軸回りに回転自在に支持されている。スプール４は、ロータ３により案内された釣り糸を外周面に巻き取るものであり、ロータ３の前部に前後軸方向に往復移動自在に配置されている。
【００１４】
〔リール本体の構成〕
リール本体２は、図３に示すように、リール本体２の主部を構成し側部に開口２ｃを有するリールボディ２ａと、リールボディ２ａから斜め上前方に一体で延びるＴ字状の竿取付脚２ｂと、開口２ｃを塞ぐようにリールボディ２ａにねじ止めされた蓋部材２ｄとを有している。
【００１５】
リールボディ２ａは、内部に開口２ｃに連なる機構装着用の空間を有しており、その空間内には、図２に示すように、ロータ３をハンドル組立体１の回転に連動して回転させるロータ駆動機構５と、スプール４を前後に移動させて釣り糸を均一に巻き取るためのオシレーティング機構６とが設けられている。
【００１６】
リールボディ２ａの前部には、図３に示すように、第１フランジ部２ｅと第１フランジ部２ｅから前方に突出する筒状部２ｆとが形成されている。第１フランジ部２ｅは、弦と円弧とからなる部分が欠落したような略半円形状であり、開口２ｃの前端に連なって形成されている。筒状部２ｆは円筒状の部分であり、その内部には、図２に示すように、ロータ３の糸繰り出し方向の回転（逆転）を禁止・解除するための逆転防止機構５０のワンウェイクラッチ５１が回転不能に装着されている。筒状部２ｆの後端部には他の部分より僅かに小径の断面視Ｄ字状の溝部２ｈが形成されており、溝部２ｈの後面は蓋部材２ｄ装着部分が開口２ｃに連通して開放されている。
【００１７】
蓋部材２ｄは、前端部に第１フランジ部２ｅの欠落部分の弦と円弧とからなる略半円形状に形成された第２フランジ部２ｇが一体形成されている。第２フランジ部２ｇの第１フランジ部２ｅ及び筒状部２ｆの後面との接触面には、これらとの隙間をシールするための弾性体製の防水シール８１が装着されている。防水シール８１は、第２フランジ部２ｇの前面から後面にかけて第１フランジ部２ｅとの接触面と溝部２ｈの後面との接触面とに対向する位置に連続して略半円弧の帯状に形成されている。防水シール８１は、第２フランジ部２ｇの前面に形成された略半円弧状の装着溝８１ａに装着されている。
【００１８】
リール本体２の後部は、図２及び図３に示すように、たとえば、金属製又は合成樹脂製の保護カバー１３により覆われている。保護カバー１３は、リールボディ２ａ及び蓋部材２ｄの下部から背面さらに竿取付脚２ｂにかけてリール本体２の下部及び背面を覆うように配置されている。保護カバー１３は、リール本体２にねじにより着脱自在に固定されている。保護カバー１３とリール本体２との間には、合成樹脂製のスペーサ１３ａが介装されている。スペーサ１３ａは、保護カバー１３とリール本体２との隙間を埋めるために介装されている。このようなスペーサ１３ａを介装させることで、保護カバー１３を合成樹脂で製作しても、その製作誤差による隙間の変動を吸収することができる。
【００１９】
〔ロータ駆動機構の構成〕
ロータ駆動機構５は、図２に示すように、ハンドル組立体１が回転不能に装着されたマスターギア１１と、このマスターギア１１に噛み合うピニオンギア１２とを有している。
【００２０】
マスターギア１１は、フェースギアであり、マスターギア軸１０と一体形成されている。マスターギア軸１０は中心にハンドル組立体１が回転不能に係止される係止孔１０ａが形成された、たとえばステンレス製の中空の部材であり、その両端が、軸受を介してリールボディ２ａ及び蓋部材２ｄに回転自在に支持されている。
【００２１】
ピニオンギア１２は、筒状の部材であり前後方向に沿って配置されリールボディ２ａに回転自在に装着されている。ピニオンギア１２の前部１２ａはロータ３の中心部を貫通しており、この貫通部分でナット３３によりロータ３と固定されている。ピニオンギア１２は、軸方向の中間部と後端部とでそれぞれ軸受１４ａ，１４ｂを介してリールボディ２ａに回転自在に支持されている。このピニオンギア１２の内部をスプール軸１５が貫通している。ピニオンギア１２は、マスターギア１１に噛み合うとともにオシレーティング機構６にも噛み合っている。
【００２２】
〔ロータの構成〕
ロータ３は、ピニオンギア１２に固定された円筒部３０及び円筒部３０の側方に互いに対向して設けられた第１及び第２ロータアーム３１，３２を有するロータ本体８と、両ロータアーム３１，３２の先端に揺動自在に装着され、釣り糸をスプール４に案内するためのベールアーム４０とを有している。ロータ本体８の円筒部３０と両ロータアーム３１，３２とは、たとえば軽量薄肉のアルミニウム合金製であり一体成形されている。
【００２３】
図４に示すように、円筒部３０の前部には前壁４１が形成されており、前壁４１の中心部には、後方に突出するボス部４２が形成されている。このボス部４２の中心部にはピニオンギア１２に回転不能に係止される貫通孔が形成されており、この貫通孔をピニオンギア１２の前部１２ａ及びスプール軸１５が貫通している。
【００２４】
図４及び図５に示すように、前壁４１の前面には、ロータ３に慣性モーメントを付与するための慣性付与リング（慣性付与部材の一例）４４が着脱自在に装着されている。慣性付与リング４４は、たとえばステンレス製であり、アルミニウム製のロータ３より比重が大きいものである。慣性付与リング４４は、ロータ３の軽量化に伴って回転フィーリングが損なわれるのを防止するとともに、それを外すことにより起動時の効率を維持するために設けられており、ロータ３の回転バランスを考慮して円筒部３０と同芯に、つまりスプール軸１５と同芯に配置されている。慣性付与リング４４は、２本のねじ４５により前壁４１に着脱自在に装着されている。
【００２５】
ピニオンギア１２の前部１２ａにはナット３３が螺合しており、このナット３３によりピニオンギア１２の先端部にロータ３が回転不能に固定される。ナット３３の内周側には、軸受３５が配置されている。軸受３５は、スプール軸１５とピニオンギア１２の内面との間に隙間を確保するために設けられている。ナット３３及び軸受３５の前面には、内周側にリップを有するシール部材３６が装着されている。シール部材３６の先端はスプール軸１５に接触している。これによりスプール軸１５からリール本体２の内部への液体の浸入を防止できる。ナット３３は、リテーナ３７により回り止めされている。リテーナ３７は、ナット３３を前方から覆うように袋状に形成されており、２本のねじ４６により前壁４１に着脱自在に装着されている。なお、リテーナ３７の内部には１２の角部を有する星形の穴が形成されており、ナット３３の角部を３０度ごとの位相で係止可能である。
【００２６】
ボス部４２に隣接して前述した逆転防止機構５０が配置されている。逆転防止機構５０は、図２に示すように、ワンウェイクラッチ５１と、ワンウェイクラッチ５１を作動状態（逆転禁止状態）と非作動状態（逆転許可状態）とに切り換える切換機構５２とを有している。
【００２７】
ワンウェイクラッチ５１は、ピニオンギア１２に内輪５１ａが回転不能に装着され、筒状部２ｆに外輪５１ｂが回転不能に装着された内輪遊転型のローラ形のワンウェイクラッチである。内輪５１ａとロータ３のボス部４２との間には、図４に示すように、ステンレス合金製の間隙部材４３が介装されている。間隙部材４３は、筒部４３ａと円板部４３ｂとを有する薄肉円筒部材であり、筒部４３ａがボス部４２の外周にはめ込まれ、円板部４３ｂが内輪５１ａの前端面とボス部４２との間に挟まれている。
【００２８】
筒状部２ｆの内部において、ワンウェイクラッチ５１の前方には、リップ付きの軸シール８５が装着されている。軸シール８５の先端リップは、間隙部材４３の筒部４３ａの外周面に接触している。ここで、間隙部材４３の内周側は、円板部４３ｂがボス部４２と内輪５１ａとに挟まれているので、液体が侵入しにくい。したがって、間隙部材４３の外周面をシールすれば、筒状部２ｆの内部に液体が侵入しにくくなる。ここで、間隙部材４３を設けたのは、軸シール８５を直接ボス部４２に接触させると、ロータ３をピニオンギア１２に固定するとき、ロータ３の芯出しを正確に行わなければ、軸シール８５とのシール性が悪くなる。そこで、間隙部材４３を装着して軸シール８５との芯出しを予め行うことで、軸シール８５のシール性能を安定させることができる。
【００２９】
切換機構５２は、図２に示すようにストッパ軸５３を有している。ストッパ軸５３は、リールボディ２ａに非作動姿勢と作動姿勢との間で揺動自在に装着されている。ストッパ軸５３は、操作のためにリールボディ２ａ及び保護カバー１３を貫通して後方に突出したストッパつまみ５３ａと、ストッパつまみ５３ａが固定された軸部５３ｂと、軸部５３ｂの先端に固定されたカム部５３ｃとを有している。
【００３０】
ストッパつまみ５３ａは、図３に示すように、六角穴付き止めねじ５８により軸部５３ｂに着脱自在に固定されている。ここで、ストッパつまみ５３ａを軸部５３ｂに対して着脱自在にしたのは、蓋部材２ｄを外すために保護カバー１３を外すときにストッパつまみ５３ａを外す必要があるからである。このストッパつまみ５３ａの固定に六角穴付き止めねじ５８を使用することにより、ねじの頭部がないため、座繰り穴でねじの頭部を隠すことなく、釣り糸を引っ掛かりにくくすることができる。
【００３１】
カム部５３ｃはトグルばね機構５９により非作動姿勢と作動姿勢とに振り分けて付勢されている。カム部５３ｃの先端は、ワンウェイクラッチ５１に係合し、ストッパ軸５３の揺動によりワンウェイクラッチ５１を非作動状態と作動状態とに切り換えるように構成されている。
【００３２】
〔オシレーティング機構の構成〕
オシレーティング機構６は、図２に示すように、スプール軸１５の略直下方に平行に配置された螺軸２１と、螺軸２１に沿って前後方向に移動するスライダ２２と、螺軸２１の先端に固定された中間ギア２３とを有している。スライダ２２は、螺軸２１と平行に配置された２本のガイド軸２４に移動自在に支持されている。スライダ２２にはスプール軸１５の後端が回転不能に固定されている。中間ギア２３は、減速機構（図示せず）を介してピニオンギア１２に噛み合っている。
【００３３】
〔スプールの構成〕
スプール４は、図２に示すように、浅溝形のものであり、ロータ３の第１ロータアーム３１と第２ロータアーム３２との間に配置されている。スプール４は、スプール軸１５の先端部にドラグ機構６０を介して連結されている。スプール４は、外周に釣り糸が巻かれる糸巻胴部４ａと、糸巻胴部４ａの後部に一体で形成されたスカート部４ｂと、糸巻胴部４ａの前端に設けられたフランジ部４ｃとを有している。
【００３４】
糸巻胴部４ａは、中心にボスを有する略２重の円筒状の部材であり、外周側の円筒部分の外周面はスプール軸１５と平行な周面で構成されている。糸巻胴部４ａは、図４に示すように、ボスに装着された２つの軸受５６，５７によりスプール軸１５に回転自在に装着されている。スカート部４ｂは、糸巻胴部４ａの後端部から径方向に拡がった後に後方に延びる有底円筒部材である。フランジ部４ｃは、糸巻胴部４ａの前端部から径方向外方に一体的に形成された立ち上がり部４ｄと、立ち上がり部４ｄに着脱自在に装着された金属又はセラミック製のリング部４ｅとを有している。リング部４ｅは、糸巻胴部４ａの内周面にねじ込まれたフランジ固定部材４ｆにより立ち上がり部４ｄに固定されている。
【００３５】
スプール４は、スプール軸１５に装着された位置決めワッシャ５４に当接して位置決めされている。
【００３６】
〔ドラグ機構の構成〕
ドラグ機構６０は、スプール４とスプール軸１５との間に装着されスプール４にドラグ力を作用させるための機構である。ドラグ機構６０は、図４に示すように、ドラグ力を手で調整するためのつまみ部６１と、つまみ部６１によりスプール４側に押圧される複数枚のディスクからなる摩擦部６２とを有している。
【００３７】
つまみ部６１は、スプール軸１５に回転不能かつ軸方向移動自在に設けられた第１部材６３と、第１部材６３の軸方向前方に配置されスプール軸１５に螺合する第２部材６４と、第１部材６３と第２部材６４との間に装着された発音機構６５とを有している。
【００３８】
第１部材６３は、円筒部６３ａと円筒部６３ａより大径のリング状の鍔部６３ｂとを有する鍔付き円筒状の部材である。円筒部６３ａの内周部には、スプール軸１５に回転不能に係止する小判形状の係止孔６６が形成されている。第１部材６３の円筒部６３ａの後端面が摩擦部６２に当接する。第１部材６３の円筒部６３ａと糸巻胴部４ａの内側の円筒部分の内周面との間には、外部から摩擦部６２側への液体の侵入を防止するためのシール板７１が装着されている。シール板７１は、たとえば、ステンレス製のリング部材の周囲にＮＢＲ製の皿状の弾性部材をアウトサート成形して得られたシール部材であり、外周部にリップを有している。シール板７１は、スナップリング７９により図５左方に付勢されている。シール板７１の図６左側面には、リング状の突起部７１ｃが形成されている。この突起部７１ｃは、後述するカバー部材６８に当接して内周側への液体の侵入を防止している。
【００３９】
第２部材６４は、第１部材６３と対向しかつ第１部材６３と相対回動自在に設けられている。第２部材６４は、第１部材６３のスプール軸１５方向前方に並べて配置されたつまみ本体６７と、つまみ本体６７の外周部に先端が固定され第１部材６３を内部に相対回動自在に収納するカバー部材６８とを有している。
【００４０】
つまみ本体６７は円盤状の部材であり、前面に前方に突出した略台形状のつまみ６７ａが形成されている。つまみ本体６７の内部には、スプール軸１５の先端に螺合するナット６９が回転不能かつ軸方向移動自在に装着されている。また、第２部材６４とナット６９との間においてスプール軸１５の外周にはコイルばね７０が圧縮状態で配置されている。
【００４１】
カバー部材６８は、段付き有底筒状の部材であり、その底部を第１部材６３の円筒部６３ａが貫通している。また、底部にシール板７１の突起部７１ｃが当接している。カバー部材６８の筒部６８ａは、つまみ本体６７の外周面にネジ止めされている。
【００４２】
カバー部材６８の筒部６８ａの先端部とつまみ本体６７との間にはＯリング７３が装着されている。Ｏリング７３は、たとえばＮＢＲ製の弾性部材であり、第１部材６３と第２部材６４のつまみ本体６７との隙間から内部に液体が侵入するのを防止するために設けられている。この隙間から液体が侵入すると、たとえシール板７１を設けても、第１部材６３とスプール軸１５との隙間を通って摩擦部６２まで水が侵入し、摩擦部６２が濡れてドラグ力が変動することがある。
【００４３】
摩擦部６２は、第１部材６３に接触するディスク９１と、ディスク９１に設けられたドラグ発音機構９３とを有している。ディスク９１は内円板部９１ａと、内円板部９１ａの外周側から後方に延びる円筒部９１ｂと、円筒部９１ｂの後端部から径方向外方に延びる外円板部９１ｃとを有している。ディスク９１は、内円板部９１ａがスプール軸１５に係止され、スプール軸１５に対して回転不能である。また、外円板部９１ｃにドラグ発音機構９３が装着されるとともに、グラファイト製のドラグディスク９２を介してスプール４が接触している。ドラグ発音機構９３は、スプール軸１５とスプール４との相対回動時、つまりドラグ作動時に発音する。
【００４４】
〔リールの操作及び動作〕
このスピニングリールでは、キャスティング時等の糸繰り出し時にはベールアーム４０を糸開放姿勢に倒す。この結果、釣り糸は仕掛けの自重によりスプール４の先端側から順に繰り出される。
【００４５】
糸巻取時には、ベールアーム４０を糸巻取姿勢側に戻す。これは、ハンドル組立体１を糸巻取方向に回転させると、図示しないベール反転機構の働きにより自動的に行われる。ハンドル組立体１の回転力は、マスターギア軸１０及びマスターギア１１を介してピニオンギア１２に伝達される。ピニオンギア１２に伝達された回転力は、その前部１２ａからロータ３に伝達されるとともに減速機構を介してピニオンギア１２に噛み合う中間ギア２３によりオシレーティング機構６に伝達される。この結果、ロータ３が糸巻取方向に回転するとともにスプール４が前後に往復移動する。このとき、慣性付与リング４４をロータ３の前壁４１に装着したので、慣性モーメントが増加し、ロータ３の回転がスムーズになり、ロータ３の軽量化を図っても回転フィーリングが向上する。
【００４６】
釣りを行っているときに、波などがリールにかかってリールが濡れることがある。この場合にも、シール板７１やＯリング７３がドラグ機構６０に装着されているので、摩擦部６２に前部や後部から水が侵入しにくい。このため、一度ドラグ力を調整すれば、水濡れによるドラグ力の変動が生じにくい。
【００４７】
また蓋部材２ｄとリールボディ２ａとの間に防水シール８１が設けられているので、内部の機構装着空間内への液体の侵入を防止することができる。このため、内部に海水等が入りにくくなり、塩の結晶がギアやガイド部分や軸受内部等で析出しにくくなる。
【００４８】
〔他の実施形態〕
（ａ）  前記実施形態では、フロントドラグ型のスピニングリールを例に説明したが、リアドラグ型のスピニングリールやドラグを有さないスピニングリールやレバードラグ型のスピニングリール等の全てのスピニングリールのロータに本発明を適用できる。
【００４９】
（ｂ）  前記実施形態では、ロータ３の前壁４１に慣性付与リング４４を装着したが、円筒部３０の外周面や内周面など、ロータ３のどのような部位に装着してもよい。ただし、ロータ３の回転バランスを考慮してロータ本体８と同芯に配置するのが好ましい。
【００５０】
（ｃ）  前記実施形態では、慣性付与部材としてリング状の慣性付与リングを例示した。しかし、慣性付与部材は、回転バランスがとれているものであれば、形状はどのようなものでもよいとともに、一体型ではなく分割されていてもよい。分割型の場合、たとえば８分割等に分割して、それぞれを着脱自在に構成し、慣性力を調整できるようにしてもよい。
【００５１】
【発明の効果】
本発明によれば、慣性付与部材をロータ本体に対して着脱自在にしたので、回転フィーリングを重視する場合には、慣性付与部材を装着し、起動時の効率を重視する場合には外せばよい。このため、ロータの軽量化を図っても、前記２つの場合で使い分けすることができる。
【図面の簡単な説明】
【図１】  本発明の一実施形態を採用したスピニングリールの左側面図。
【図２】  その左側面断面図。
【図３】  リール本体の分解斜視図。
【図４】  スプール及びロータ中心部の断面部分図。
【図５】  ロータ前部の分解斜視図。
【符号の説明】
２  リール本体
３  ロータ
４  スプール
４ｂ  スカート部
８  ロータ本体
３０  円筒部
３１，３２  第１及び第２ロータアーム
４０  ベールアーム
４１  前壁
４４  慣性付与リング
【図１】
0004572033.tif 000002
【図２】
0004572033.tif 000003
【図３】
0004572033.tif 000004
【図４】
0004572033.tif 000005
【図５】
0004572033.tif 000006